【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
内部管腔を有する第１の部分と、
前記第１の部分に結合され、内部管腔を有する狭小部分と、
内部管腔を有し、前記狭小部分に結合される拡張可能部分であって、前記拡張可能部分は、拡張構成および圧潰構成を有することが可能である、拡張可能部分と、
前記拡張可能部分の遠位端に配置される先端と
を備える装置であって、
前記第１の部分の内部管腔、前記狭小部分の内部管腔、および前記拡張可能部分の内部管腔は、流体、粉末、ガス、物体、およびデバイスのうちの少なくとも１つの通過を可能にするように、連通して結合される、装置。
【請求項２】
前記狭小部分の直径は、前記第１の部分の直径より小さい、請求項１に記載の装置。
【請求項３】
前記第１の部分は、バイパス管類に接続可能であるように構成される、請求項１に記載の装置。
【請求項４】
前記圧潰構成では、前記狭小部分および前記拡張可能部分は、実質的に等しい直径を有する、請求項１に記載の装置。
【請求項５】
前記圧潰構成では、前記拡張可能部分は、前記圧潰構成における前記拡張可能部分の直径と実質的に等しいまたはそれを上回る直径を有するアクセスオリフィスを通して挿入され、前記アクセスオリフィスは、前記デバイスを受容するように構成される標的物体上に配置され、
前記アクセスオリフィスを通した前記拡張可能部分の挿入に応じて、前記拡張可能部分は、前記標的物体内の標的場所まで前進させられ、前記標的場所では、前記拡張可能部分は、拡張可能構成に拡張される、請求項１に記載の装置。
【請求項６】
前記先端は、少なくとも１つのオリフィスを含み、
前記拡張可能部分は、少なくとも１つのオリフィスを含み、前記拡張可能部分内のオリフィスは、前記先端に近接して位置付けられる、請求項１に記載の装置。
【請求項７】
前記狭小部分、前記拡張可能部分、および前記先端のうちの少なくとも１つの少なくとも一部を被覆するためのコーティングをさらに備え、
前記コーティングは、防水コーティングである、請求項１に記載の装置。
【請求項８】
前記装置は、前記第１の部分、前記狭小部分、前記拡張可能部分、および前記先端のうちの少なくとも１つの内部管腔を通して流体流を可能にし、
前記流体流は、単一の方向、複数の方向、逆方向、および順方向のうちの少なくとも１つの方向にあり、
前記逆方向における前記流体流は、前記順方向における前記流体流と実質的に等しい、および／または等しくない、請求項１に記載の装置。
【請求項９】
前記装置は、カニューレであり、前記カニューレは、動脈カニューレおよび静脈カニューレのうちの少なくとも１つである、請求項１に記載の装置。
【請求項１０】
前記拡張可能部分は、前記装置から外へ流体流を指向するために少なくとも１つの拡散器と、前記装置から外へ流体流を偏向させるために少なくとも１つの偏向器とのうちの少なくとも１つを含む、請求項１に記載の装置。
【請求項１１】
前記狭小部分、前記拡張可能部分、および前記先端のうちの少なくとも１つは、自己拡張式である、請求項１に記載の装置。
【請求項１２】
前記狭小部分、前記拡張可能部分、および前記先端のうちの少なくとも１つは、複数の可撓性フィラメントを備え、前記複数の可撓性フィラメントは、前記狭小部分、前記拡張可能部分、および前記先端のうちの少なくとも１つの直径が、少なくとも１つの機構を使用して変動させられることを可能にし、
前記装置は、前記狭小部分、前記拡張可能部分、および前記先端のうちの少なくとも１つの構成を前記圧潰構成と前記拡張構成との間で作動に応じて改変する役割を果たす少なくとも１つの機構をさらに備え、
前記複数の可撓性フィラメントは、金属、形状記憶金属、合金、プラスチック、織物繊維、合成繊維、天然繊維、およびそれらの組み合わせのうちの少なくとも１つを含む１つまたは複数の材料を含み、
前記複数の可撓性フィラメントは、円形、卵形、扁平、三角形、長方形、およびそれらの組み合わせのうちの少なくとも１つを含む形状を有し、
前記複数の可撓性フィラメントは、弾性可撓性フィラメント、非弾性可撓性フィラメント、織物繊維、ともに編組される可撓性フィラメント、ともに編まれる可撓性フィラメント、織り合わせられる可撓性フィラメント、交絡される可撓性フィラメント、およびそれらの任意の組み合わせのうちの少なくとも１つを含み、
前記複数の可撓性フィラメントの中の少なくとも１つの可撓性フィラメントは、被覆された可撓性フィラメントおよび被覆されていない可撓性フィラメントのうちの少なくとも１つを含み、
前記少なくとも１つの機構は、マンドレル、ブジー、バルーン、加圧機構、後退機構、電気モータ、加圧の変化、包装紐、バルーン、シース、およびそれらの任意の組み合わせのうちの少なくとも１つを含む、請求項１に記載の装置。
【請求項１３】
前記カニューレは、中空体、実質体、およびそれらの任意の組み合わせのうちの少なくとも１つに挿入可能であり、
前記中空体は、患者内の中空器官、静脈、動脈、尿道、尿管、腸、食道、気管、気管支、胸膜腔、腹膜、および前記患者内の実質器官内の血管、および／または別のアクセスデバイスのうちの少なくとも１つを含み、
前記複数の可撓性フィラメントは、前記カニューレに複数の開口部を形成し、前記中空体および前記実質体のうちの前記少なくとも１つは、前記カニューレが前記中空体および前記実質体のうちの少なくとも１つに挿入されるときに、前記複数の開口部の中の少なくとも１つの開口部を少なくとも部分的に被覆するように構成される、請求項９に記載の装置。
【請求項１４】
前記カニューレは、壁のないカニューレである、請求項９に記載の装置。
【請求項１５】
前記カニューレは、医療状況、非医療状況、経皮的挿入、中心カニューレ挿入、気管チューブ、胸腔チューブ、ドレナージカテーテル、心臓手術、血液濾過、血液透析、および透析のうちの少なくとも１つで使用されるように構成される、請求項９に記載の装置。
【請求項１６】
前記先端は、標的場所における前記先端の留置を安定させるように少なくとも１つのバスケットを含み、
前記少なくとも１つのバスケットは、球状、球体、円形を伴う円筒、卵形、非対称形状、三角形、正方形、五角形、六角形、七角形、八角形、錐体、円錐、二重円錐、逆円錐、逆二重円錐、釣鐘形状、単層形状、二重層形状、多層形状、単一または多重の一方向および／または多方向褶曲形状、ひだ、逆チューリップ様構造、単一または複数の小型または大型遠位開口部を伴うチューリップ様構造、一様な形状、非対称形状、およびそれらの任意の組み合わせのうちの少なくとも１つを含む形状を有する、請求項１に記載の装置。
【請求項１７】
前記拡張構成は、少なくとも１つの第１の拡張構成と、少なくとも１つの第２の拡張構成とを含み、前記少なくとも１つの第２の拡張構成における前記拡張可能部分の直径は、少なくとも１つの第１の構成における前記拡張可能部分の直径より大きく、
前記拡張可能部分は、前記少なくとも１つの第１の拡張構成および前記少なくとも１つの第２の拡張構成のうちの少なくとも１つへの前記拡張可能部分の拡張を可能にするように弾性特性を有する少なくとも１つの部分を含む、請求項１に記載の装置。
【請求項１８】
前記拡張可能部分および前記先端のうちの少なくとも１つは、少なくとも１つの開口部を含有する少なくとも１つの部分を含み、前記少なくとも１つの開口部は、流体、粉末、ガス、物体、デバイス、およびそれらの任意の組み合わせのうちの少なくとも１つを通過させるために構成され、
前記少なくとも１つの部分は、非弾性部分である、請求項１に記載の装置。
【請求項１９】
前記拡張可能部分は、牽引を使用して前記圧潰構成で留置され、前記圧潰構成は、標的場所からの前記拡張可能部分の除去を可能にする、請求項１に記載の装置。
【請求項２０】
前記拡張可能部分は、マンドレル、ブジー、バルーン、加圧機構、後退機構、電気モータ、加圧の変化、包装紐、バルーン、シース、およびそれらの任意の組み合わせのうちの少なくとも１つの機構を使用して、前記圧潰構成および前記拡張構成のうちの少なくとも１つで留置され、
前記圧潰構成は、少なくとも前記拡張可能部分の留置および標的場所からの除去のうちの少なくとも１つを可能にし、
前記先端は、少なくとも１つの拡張構成および少なくとも１つの圧潰構成を有するバスケットを含み、
前記先端は、前記圧潰構成で前記標的場所まで前進させられ、前記標的場所で前記機構のうちの少なくとも１つを使用して、拡張可能構成に拡張され、
前記機構のうちの少なくとも１つを使用して、前記先端は、前記標的場所からの除去のために、前記圧潰構成になるように留置される、請求項１に記載の装置。
【請求項２１】
前記バスケットは、前記少なくとも１つの拡張構成で前記バスケットを保定するための少なくとも１つの牽引部材を含み、前記少なくとも１つの牽引部材の解放は、前記バスケットを前記圧潰構成で留置する、請求項２０に記載の装置。
【請求項２２】
前記バスケットは、少なくとも１つの拡張構成で前記バスケットを保定するための少なくとも１つの係止機構を含み、前記係止機構は、前記標的場所において前記少なくとも１つの拡張構成で前記バスケットを安定させるように構成され、
前記少なくとも１つの係止機構は、能動係止機構、受動係止機構、およびそれらの任意の組み合わせのうちの少なくとも１つを含み、
前記少なくとも１つの係止機構は、前記少なくとも１つの拡張構成で前記バスケットを不可逆的に保定し、それによって、前記バスケットが前記少なくとも１つの圧潰構成に戻されることを防止するように構成され、
前記少なくとも１つの係止機構は、前記少なくとも１つの拡張構成で前記バスケットを可逆的に保定し、それによって、前記バスケットが前記少なくとも１つの圧潰構成に戻されることを可能にするように構成される、請求項２０に記載の装置。
【請求項２３】
前記装置は、シースであり、
前記シースは、自己拡張可能であり、
前記シースは、標的場所への流体、粉末、ガス、物体、デバイス、およびそれらの任意の組み合わせのうちの少なくとも１つの送達のために構成され、
前記シースは、少なくとも１つの弾性区分、少なくとも１つの非弾性区分、少なくとも１つの恒久的変形可能区分、少なくとも１つの一時的変形可能区分、およびそれらの任意の組み合わせのうちの少なくとも１つを含み、
前記シースは、少なくとも１つの管腔を含み、前記管腔は、流体、粉末、ガス、物体、デバイス、およびそれらの任意の組み合わせのうちの少なくとも１つの通過を可能にし、
前記シース内の前記少なくとも１つの管腔は、加圧管腔、減圧管腔、弁、サイドアーム、分岐、およびそれらの任意の組み合わせのうちの少なくとも１つを含み、
コーティングが、前記シースの少なくとも一部を被覆し、前記コーティングは、物理的性質、化学的性質、機械的性質、薬剤学的性質、およびそれらの任意の組み合わせのうちの少なくとも１つを含む前記シースの少なくとも１つの性質を変化させるように構成される、請求項１に記載の装置。
【請求項２４】
カニューレ筐体であって、
少なくとも１つの管腔と、
少なくとも１つの拡張可能部分であって、前記少なくとも１つの拡張可能部分は、少なくとも１つの拡張構成および少なくとも１つの圧潰構成を有するように構成され、前記少なくとも１つの拡張構成における前記少なくとも１つの管腔の直径は、前記少なくとも１つの圧潰構成における前記少なくとも１つの管腔の直径より大きい、少なくとも１つの拡張可能部分と
を有し、前記少なくとも１つの拡張構成では、前記少なくとも１つの管腔は、流体、粉末、ガス、物体、デバイス、およびそれらの任意の組み合わせのうちの少なくとも１つの通過を可能にする、カニューレ筐体
を備える、カニューレ。
【請求項２５】
前記少なくとも１つの拡張可能部分は、自己拡張可能部分であり、
前記カニューレ筐体は、複数の管腔を含み、
前記カニューレ筐体は、少なくとも１つのオリフィスを含み、
前記カニューレ筐体は、少なくとも１つの自己拡張式先端を含む、請求項２４に記載のカニューレ。
【請求項２６】
シース筐体であって、
少なくとも１つの管腔と、
少なくとも１つの拡張可能部分であって、前記少なくとも１つの拡張可能部分は、少なくとも１つの拡張構成および少なくとも１つの圧潰構成を有するように構成され、前記少なくとも１つの拡張構成における前記少なくとも１つの管腔の直径は、前記少なくとも１つの圧潰構成における前記少なくとも１つの管腔の直径より大きい、少なくとも１つの拡張可能部分と
を有し、前記少なくとも１つの拡張構成では、前記少なくとも１つの管腔は、流体、粉末、ガス、物体、デバイス、およびそれらの任意の組み合わせのうちの少なくとも１つの通過を可能にする、シース筐体
を備える、シース。
【請求項２７】
前記少なくとも１つの拡張可能部分は、自己拡張可能部分であり、
前記シース筐体は、複数の管腔を含み、
前記シース筐体は、少なくとも１つのオリフィスを含み、
前記シース筐体は、少なくとも１つの自己拡張式先端を含む、請求項２６に記載のシース。
【請求項２８】
前記装置は、
前記拡張可能部分を前記圧潰構成で留置し、
身体上の挿入点において前記拡張可能部分を挿入し、
前記拡張可能部分を前記拡張構成に拡張するように構成され、
前記拡張構成では、前記拡張可能部分は、前記身体の内壁の表面、周辺環境、および前記少なくとも１つの管腔の最大直径のうちの少なくとも１つまで拡張する、請求項１〜２７のいずれかに記載の装置。
【手続補正２】
【補正対象書類名】明細書
【補正対象項目名】００３０
【補正方法】変更
【補正の内容】
【００３０】
いくつかの実装では、本主題は、上記の装置を使用するための方法に関する。本方法は、拡張可能部分を圧潰構成で留置するステップと、身体上の挿入点において拡張可能部分を挿入するステップと、拡張可能部分を拡張構成に拡張するステップであって、拡張構成では、拡張可能部分は、以下、すなわち、身体の内壁の表面、周辺環境、および少なくとも１つの管腔の最大直径のうちの少なくとも１つまで拡張する、ステップとを含むことができる。
本発明は、例えば、以下を提供する。
（項目１）
内部管腔を有する、第１の部分と、
前記第１の部分に結合され、内部管腔を有する、狭小部分と、
内部管腔を有し、前記狭小部分に結合される、拡張可能部分であって、前記拡張可能部分は、拡張構成および圧潰構成を有することが可能である、拡張可能部分と、
前記拡張可能部分の遠位端に配置される、先端と、
を備え、前記第１の部分、前記狭小部分、および前記拡張可能部分の前記内部管腔は、流体、粉末、ガス、物体、およびデバイスのうちの少なくとも１つの通過を可能にするように、連通して結合される、装置。
（項目２）
前記狭小部分の直径は、前記第１の部分の直径より小さい、項目１に記載の装置。
（項目３）
前記第１の部分は、バイパス管類に接続可能であるように構成される、項目１に記載の装置。
（項目４）
前記圧潰構成では、前記狭小部分および前記拡張可能部分は、実質的に等しい直径を有する、項目１に記載の装置。
（項目５）
前記圧潰構成では、前記拡張可能部分は、前記圧潰構成における前記拡張可能部分の前記直径と実質的に等しいまたはそれを上回る直径を有する、アクセスオリフィスを通して挿入され、前記アクセスオリフィスは、前記デバイスを受容するように構成される標的物体上に配置される、項目１に記載の装置。
（項目６）
前記アクセスオリフィスを通した前記拡張可能部分の挿入に応じて、前記拡張可能部分は、前記標的物体内の標的場所まで前進させられ、前記標的場所では、前記拡張可能部分は、拡張可能構成に拡張される、項目５に記載の装置。
（項目７）
前記先端は、少なくとも１つのオリフィスを含む、項目１に記載の装置。
（項目８）
前記拡張可能部分は、少なくとも１つのオリフィスを含む、項目１に記載の装置。
（項目９）
前記拡張可能部分内の前記オリフィスは、前記先端に近接して位置付けられる、項目８に記載の装置。
（項目１０）
前記狭小部分、前記拡張可能部分、および前記先端のうちの少なくとも１つの少なくとも一部を被覆するためのコーティングをさらに備える、項目１に記載の装置。
（項目１１）
前記コーティングは、防水コーティングである、項目１０に記載の装置。
（項目１２）
前記装置は、前記第１の部分、前記狭小部分、前記拡張可能部分、および前記先端のうちの少なくとも１つの内部管腔を通して流体流を可能にする、項目１に記載の装置。
（項目１３）
前記流体流は、単一の方向および複数の方向のうちの少なくとも１つの方向にある、項目１２に記載の装置。
（項目１４）
前記流体流は、逆方向および順方向のうちの少なくとも１つの方向にある、項目１２に記載の装置。
（項目１５）
前記逆方向における前記流体流は、前記順方向における前記流体流と実質的に等しい、および／または等しくない、項目１４に記載の装置。
（項目１６）
前記装置は、カニューレである、項目１に記載の装置。
（項目１７）
前記カニューレは、動脈カニューレおよび静脈カニューレのうちの少なくとも１つである、項目１６に記載の装置。
（項目１８）
前記拡張可能部分は、前記装置から外へ流体流を指向するために少なくとも１つの拡散器を含む、項目１に記載の装置。
（項目１９）
前記拡張可能部分は、前記装置から外へ流体流を偏向させるために少なくとも１つの偏向器を含む、項目１に記載の装置。
（項目２０）
前記狭小部分、前記拡張可能部分、および前記先端のうちの少なくとも１つは、自己拡張式である、項目１に記載の装置。
（項目２１）
前記狭小部分、前記拡張可能部分、および前記先端のうちの少なくとも１つは、前記狭小部分、前記拡張可能部分、および前記先端のうちの前記少なくとも１つの前記直径が、少なくとも１つの機構を使用して変動させられることを可能にする、複数の可撓性フィラメントを備える、項目１に記載の装置。
（項目２２）
作動に応じて、前記圧潰構成と前記拡張構成との間で、前記狭小部分、前記拡張可能部分、および前記先端のうちの少なくとも１つの構成を改変する役割を果たす、少なくとも１つの機構をさらに備える、項目２１に記載の装置。
（項目２３）
前記複数の可撓性フィラメントは、金属、形状記憶金属、合金、プラスチック、織物繊維、合成繊維、天然繊維、およびそれらの組み合わせのうちの少なくとも１つを含む、１つまたはそれを上回る材料を含む、項目２１に記載の装置。
（項目２４）
前記複数の可撓性フィラメントは、円形、卵形、扁平、三角形、長方形、およびそれらの組み合わせのうちの少なくとも１つを含む、形状を有する、項目２１に記載の装置。
（項目２５）
前記複数の可撓性フィラメントは、弾性可撓性フィラメント、非弾性可撓性フィラメント、織物繊維、ともに編組される可撓性フィラメント、ともに編まれる可撓性フィラメント、織り合わせられる可撓性フィラメント、交絡される可撓性フィラメント、およびそれらの任意の組み合わせのうちの少なくとも１つを含む、項目２１に記載の装置。
（項目２６）
前記複数の可撓性フィラメントの中の少なくとも１つの可撓性フィラメントは、被覆された可撓性フィラメントである、項目２１に記載の装置。
（項目２７）
前記複数の可撓性フィラメントの中の少なくとも１つの可撓性フィラメントは、被覆されていない可撓性フィラメントである、項目２１に記載の装置。
（項目２８）
前記少なくとも１つの機構は、マンドレル、ブジー、バルーン、加圧機構、後退機構、電気モータ、加圧の変化、包装紐、バルーン、シース、およびそれらの任意の組み合わせのうちの少なくとも１つを含む、項目２１に記載の機構。
（項目２９）
前記カニューレは、中空体、実質体、およびそれらの任意の組み合わせのうちの少なくとも１つに挿入可能である、項目１７に記載の装置。
（項目３０）
前記中空体は、患者内の中空器官、静脈、動脈、尿道、尿管、腸、食道、気管、気管支、胸膜腔、腹膜、および前記患者内の実質器官内の血管、および／または別のアクセスデバイスのうちの少なくとも１つを含む、項目２９に記載の装置。
（項目３１）
前記複数の可撓性フィラメントは、前記カニューレに複数の開口部を形成し、前記中空体および前記実質体のうちの前記少なくとも１つは、前記カニューレが前記中空体および前記実質体のうちの前記少なくとも１つに挿入されるときに、前記複数の開口部の中の少なくとも１つの開口部を少なくとも部分的に被覆するように構成される、項目２９に記載の装置。
（項目３２）
前記カニューレは、壁のないカニューレである、項目１７に記載の装置。
（項目３３）
前記カニューレは、医療状況、非医療状況、経皮的挿入、中心カニューレ挿入、気管チューブ、胸腔チューブ、ドレナージカテーテル、心臓手術、血液濾過、血液透析、および透析のうちの少なくとも１つで使用されるように構成される、項目１７に記載の装置。
（項目３４）
前記先端は、標的場所における前記先端の留置を安定させるように少なくとも１つのバスケットを含む、項目１に記載の装置。
（項目３５）
前記少なくとも１つのバスケットは、球状、球体、円形を伴う円筒、卵形、非対称形状、三角形、正方形、五角形、六角形、七角形、八角形、錐体、円錐、二重円錐、逆円錐、逆二重円錐、釣鐘形状、単層形状、二重層形状、多層形状、単一または多重の一方向および／または多方向褶曲形状、ひだ、逆チューリップ様構造、単一または複数の小型または大型遠位開口部を伴うチューリップ様構造、一様な形状、非対称形状、およびそれらの任意の組み合わせのうちの少なくとも１つを含む、形状を有する、項目３４に記載の装置。
（項目３６）
前記拡張構成は、少なくとも１つの第１の拡張構成と、少なくとも１つの第２の拡張構成とを含み、前記少なくとも１つの第２の拡張構成における前記拡張可能部分の直径は、少なくとも１つの第１の構成における前記拡張可能部分の直径より大きい、項目１に記載の装置。
（項目３７）
前記拡張可能部分は、前記少なくとも１つの第１の拡張構成および前記少なくとも１つの第２の拡張構成のうちの少なくとも１つへの前記拡張可能部分の拡張を可能にするように弾性特性を有する、少なくとも１つの部分を含む、項目３６に記載の装置。
（項目３８）
前記拡張可能部分および前記先端のうちの少なくとも１つは、少なくとも１つの開口部を含有する、少なくとも１つの部分を含み、前記少なくとも１つの開口部は、流体、粉末、ガス、物体、デバイス、およびそれらの任意の組み合わせのうちの少なくとも１つを通過させるために構成される、項目１に記載の装置。
（項目３９）
前記少なくとも１つの部分は、非弾性部分である、項目３８に記載の装置。
（項目４０）
前記拡張可能部分は、牽引を使用して前記圧潰構成で留置され、前記圧潰構成は、標的場所からの前記拡張可能部分の除去を可能にする、項目１に記載の装置。
（項目４１）
前記拡張可能部分は、マンドレル、ブジー、バルーン、加圧機構、後退機構、電気モータ、加圧の変化、包装紐、バルーン、シース、およびそれらの任意の組み合わせのうちの少なくとも１つの機構を使用して、前記圧潰構成および前記拡張構成のうちの少なくとも１つで留置され、
前記圧潰構成は、少なくとも前記拡張可能部分の留置および標的場所からの除去のうちの少なくとも１つを可能にする、項目１に記載の装置。
（項目４２）
前記先端は、少なくとも１つの拡張構成および少なくとも１つの圧潰構成を有する、バスケットを含み、
前記先端は、前記圧潰構成で前記標的場所まで前進させられ、前記標的場所で前記機構のうちの前記少なくとも１つを使用して、拡張可能構成に拡張され、
前記機構のうちの前記少なくとも１つを使用して、前記先端は、前記標的場所からの除去のために、前記圧潰構成になるように留置される、項目４１に記載の装置。
（項目４３）
前記バスケットは、前記少なくとも１つの拡張構成で前記バスケットを保定するための少なくとも１つの牽引部材を含み、前記少なくとも１つの牽引部材の解放は、前記バスケットを前記圧潰構成で留置する、項目４２に記載の装置。
（項目４４）
前記バスケットは、少なくとも１つの拡張構成で前記バスケットを保定するための少なくとも１つの係止機構を含み、前記係止機構は、前記標的場所において前記少なくとも１つの拡張構成で前記バスケットを安定させるように構成される、項目４２に記載の装置。
（項目４５）
前記少なくとも１つの係止機構は、能動係止機構、受動係止機構、およびそれらの任意の組み合わせのうちの少なくとも１つを含む、項目４４に記載の装置。
（項目４６）
前記少なくとも１つの係止機構は、前記少なくとも１つの拡張構成で前記バスケットを不可逆的に保定し、それによって、前記バスケットが前記少なくとも１つの圧潰構成に戻されることを防止するように構成される、項目４４に記載の装置。
（項目４７）
前記少なくとも１つの係止機構は、前記少なくとも１つの拡張構成で前記バスケットを可逆的に保定し、それによって、前記バスケットが前記少なくとも１つの圧潰構成に戻されることを可能にするように構成される、項目４４に記載の装置。
（項目４８）
前記装置は、シースである、項目１に記載の装置。
（項目４９）
前記シースは、自己拡張可能である、項目４８に記載の装置。
（項目５０）
前記シースは、標的場所への流体、粉末、ガス、物体、デバイス、およびそれらの任意の組み合わせのうちの少なくとも１つの送達のために構成される、項目４８に記載の装置。
（項目５１）
前記シースは、少なくとも１つの弾性区分、少なくとも１つの非弾性区分、少なくとも１つの恒久的変形可能区分、少なくとも１つの一時的変形可能区分、およびそれらの任意の組み合わせのうちの少なくとも１つを含む、項目４８に記載の装置。
（項目５２）
前記シースは、少なくとも１つの管腔を含み、前記管腔は、流体、粉末、ガス、物体、デバイス、およびそれらの任意の組み合わせのうちの少なくとも１つの通過を可能にする、項目４８に記載の装置。
（項目５３）
前記シース内の前記少なくとも１つの管腔は、加圧管腔、減圧管腔、弁、サイドアーム、分岐、およびそれらの任意の組み合わせのうちの少なくとも１つを含む、項目５２に記載の装置。
（項目５４）
前記シースの少なくとも一部を被覆するコーティングをさらに備える、項目４８に記載の装置。
（項目５５）
前記コーティングは、物理的性質、化学的性質、機械的性質、薬剤学的性質、およびそれらの任意の組み合わせのうちの少なくとも１つを含む、前記シースの少なくとも１つの性質を変化させるように構成される、項目５４に記載の装置。
（項目５６）
カニューレ筐体であって、
少なくとも１つの管腔と、
少なくとも１つの拡張可能部分であって、前記少なくとも１つの拡張可能部分は、前記少なくとも１つの拡張可能部分は、少なくとも１つの拡張構成および少なくとも１つの圧潰構成を有するように構成され、前記少なくとも１つの拡張構成における前記少なくとも１つの管腔の直径は、前記少なくとも１つの圧潰構成における前記少なくとも１つの管腔の直径より大きい、少なくとも１つの拡張可能部分と、
を有し、前記少なくとも１つの拡張構成では、前記少なくとも１つの管腔は、流体、粉末、ガス、物体、デバイス、およびそれらの任意の組み合わせのうちの少なくとも１つの通過を可能にする、カニューレ筐体
を備える、カニューレ。
（項目５７）
前記少なくとも１つの拡張可能部分は、自己拡張可能部分である、項目５６に記載のカニューレ。
（項目５８）
前記カニューレ筐体は、複数の管腔を含む、項目５６に記載のカニューレ。
（項目５９）
前記カニューレ筐体は、少なくとも１つのオリフィスを含む、項目５６に記載のカニューレ。
（項目６０）
前記カニューレ筐体は、少なくとも１つの自己拡張式先端を含む、項目５６に記載のカニューレ。
（項目６１）
シース筐体であって、
少なくとも１つの管腔と、
少なくとも１つの拡張可能部分であって、前記少なくとも１つの拡張可能部分は、前記少なくとも１つの拡張可能部分は、少なくとも１つの拡張構成および少なくとも１つの圧潰構成を有するように構成され、前記少なくとも１つの拡張構成における前記少なくとも１つの管腔の直径は、前記少なくとも１つの圧潰構成における前記少なくとも１つの管腔の直径より大きい、少なくとも１つの拡張可能部分と、
を有し、前記少なくとも１つの拡張構成では、前記少なくとも１つの管腔は、流体、粉末、ガス、物体、デバイス、およびそれらの任意の組み合わせのうちの少なくとも１つの通過を可能にする、シース筐体
を備える、シース。
（項目６２）
前記少なくとも１つの拡張可能部分は、自己拡張可能部分である、項目６１に記載のシース。
（項目６３）
前記シース筐体は、複数の管腔を含む、項目６１に記載のシース。
（項目６４）
前記シース筐体は、少なくとも１つのオリフィスを含む、項目６１に記載のシース。
（項目６５）
前記シース筐体は、少なくとも１つの自己拡張式先端を含む、項目６１に記載のシース。
（項目６６）
前記拡張可能部分を前記圧潰構成で留置するステップと、
身体上の挿入点において前記拡張可能部分を挿入するステップと、
前記拡張可能部分を前記拡張構成に拡張するステップであって、前記拡張構成では、前記拡張可能部分は、前記身体の内壁の表面、周辺環境、および前記少なくとも１つの管腔の最大直径のうちの少なくとも１つまで拡張する、ステップと、
を含む、いずれかの項目１〜６５に記載の装置を使用するための方法。